(57)【要約】【課題】  電線が第１及び第２電気接続箱本体の間や外部カバー部材との間に噛み込むことによる不具合を防止できる電気接続箱を提供する。【解決手段】  第１電気接続箱本体２と第２電気接続箱本体３を互いの合体面７ａ、（図示せず）を密着させた状態で合体させ、合体した第１電気接続箱本体２及び第２電気接続箱本体３を外部カバー部材内に収容する電気接続箱１であって、第１電気接続箱本体２の合体面７ａに内部カバー部材５を装着し、この内部カバー部材５に第２電気接続箱本体３より導き出された複数の電線Ｗ２の配策方向を規制する電線配索規制部２６を設けた。【選択図】      図２
2005185018.tif 000002
【特許請求の範囲】
【請求項１】
一方の電気接続箱本体と他方の電気接続箱本体を互いの合体面を突き合わせた状態で合体させ、合体した電気接続箱本体を外部カバー部材内に収容する電気接続箱であって、
一方の前記電気接続箱本体の合体面で、且つ、他方の前記電気接続箱本体の下方に、他方の前記電気接続箱本体より導き出された複数の電線の配策方向を規制する電線配索規制部を設けたことを特徴とする電気接続箱。
【請求項２】
請求項１記載の電気接続箱であって、
前記電線配索規制部は、一方の前記電気接続箱本体に装着される内部カバー部材に設けられたことを特徴とする電気接続箱。
【請求項３】
請求項２記載の電気接続箱であって、
前記内部カバー部材は、一方の前記電線接続箱本体の前記合体面に露出された端子部を覆う端子カバー部を有することを特徴とする電気接続箱。
【請求項４】
請求項２又は請求項３記載の電気接続箱であって、
他方の前記電気接続箱本体は、一方の前記電気接続箱本体に対し上方から下方へのスライドによって合体され、前記内部カバー部材の上部には電線を前記電線配索規制部内に導く電線ガイド部が設けられていることを特徴とする電気接続箱。
【請求項５】
請求項２〜請求項４記載の電気接続箱であって、
前記内部カバー部材と他方の前記電気接続箱本体とをロックするロック手段を設けたことを特徴とする電気接続箱。
【発明の詳細な説明】
【技術分野】
【０００１】
本発明は、複数の電気接続箱本体が合体された電気接続箱に関する。
【背景技術】
【０００２】
この種の電気接続箱としては、図６に示す特許文献１に開示されたものがある。
【０００３】
この電気接続箱１００は、図６に示すように、機能等により分割された第１電気接続箱本体１０１及び第２電気接続箱本体１０２と外部カバー部材１０３とを有する。第１及び第２電気接続箱本体１０１、１０２の互いの合体面にはロック部１０１ａと被ロック部１０２ａとがそれぞれ設けられており、第１及び第２電気接続箱本体１０１、１０２同士は、互いの合体面を突き合わせ、且つ、ロック部１０１ａに被ロック部１０２ａをロックさせることにより合体されている。合体された第１及び第２電気接続箱本体１０１、１０２は外部カバー部材１０３内に収容されている。第１電気接続箱本体１０１の外周面と外部カバー部材１０３の内周面にはロック部１０１ｂと被ロック部１０３ｂがそれぞれ設けられ、第１電気接続箱本体１０１と外部カバー部材１０３とは、ロック部１０１ｂに被ロック部１０３ｂをロックさせることにより固定されている。外部カバー部材１０３には２箇所に電線引き出し孔１０３ｃ、１０３ｄが設けられ、この各電線引き出し孔１０３ｃ、１０３ｄより第１及び第２電気接続箱本体１０１、１０２の下面に接続された複数の電線（図示せず）が外部に導き出されている。
【特許文献１】特開平８−１４０２４０号公報
【発明の開示】
【発明が解決しようとする課題】
【０００４】
しかしながら、前記従来の電気接続箱１００では、第２電気接続箱本体１０２の被ロック部１０２ａと第１電気接続箱本体１０１のロック部１０１ａとを位置合わし、第２電気接続箱本体１０２を上方より下方に向かってスライドすると、被ロック部１０２ａがロック部１０１ａにロックすることによって合体される。この第２電気接続箱本体１０２の合体作業に際して、第２電気接続箱本体１０２の下面より導き出された複数の電線（図示せず）が第２電気接続箱本体１０２と第１電気接続箱本体１０１との間に噛み込む恐れがある。電線が第１及び第２電気接続箱本体１０１、１０２の間に噛み込むと、第１及び第２電気接続箱本体１０１、１０２とが適正にロックされなかったり、噛み込んだ電線が傷ついて接続不良になるという不具合が発生する。
【０００５】
又、合体した第１及び第２電気接続箱本体１０１、１０２を外部カバー部材１０３内に収容する際に、第２電気接続箱本体１０２の下面より導き出された複数の電線が第２電気接続箱本体１０２と外部カバー部材１０３との間に噛み込む恐れがあり、上記と同様の不具合が発生する。
【０００６】
そこで、本発明は、前記した課題を解決すべくなされたものであり、電線が双方の電気接続箱本体の間や外部カバー部材との間に噛み込むことによる不具合を防止できる電気接続箱を提供することを目的とする。
【課題を解決するための手段】
【０００７】
請求項１の発明は、一方の電気接続箱本体と他方の電気接続箱本体を互いの合体面を突き合わせた状態で合体させ、合体した電気接続箱本体を外部カバー部材内に収容する電気接続箱であって、一方の前記電気接続箱本体の合体面で、且つ、他方の前記電気接続箱本体の下方に、他方の前記電気接続箱本体より導き出された複数の電線の配策方向を規制する電線配索規制部を設けたことを特徴とする。
【０００８】
この電気接続箱では、一方の電気接続箱本体に他方の電気接続箱本体を合体させる過程にあって、他方の電気接続箱本体より導き出された複数の電線が電線配索規制部に自然に収容され、自然に収容されない場合には複数の電線を電線配索規制部内に収容しつつ合体作業を進めることにより電線の自由な変移を規制できるため、電線が双方の電気接続箱本体の間に容易に噛み込まないようできる。又、合体された電気接続箱本体を外部カバー部材に収容する際に、他方の電気接続箱本体より導き出された複数の電線が電線配索規制部で自由な変移が規制されているため、外部カバー部材との間に噛み込むことがない。
【０００９】
請求項２の発明は、請求項１記載の電気接続箱であって、前記電線配索規制部は、一方の前記電気接続箱本体に装着される内部カバー部材に設けられたことを特徴とする。
【００１０】
この電気接続箱では、請求項１の発明の作用に加え、一方の前記電気接続箱本体に内部カバー部材に装着することによって電線配索規制部を付加できる。
【００１１】
請求項３の発明は、請求項２記載の電気接続箱であって、前記内部カバー部材は、一方の前記電線接続箱本体の前記合体面に露出された端子部を覆う端子カバー部を有することを特徴とする。
【００１２】
この電気接続箱では、請求項２の発明の作用に加え、一方の電気接続箱本体の端子部を保護できる。
【００１３】
請求項４の発明は、請求項２又は請求項３記載の電気接続箱であって、他方の前記電気接続箱本体は、一方の前記電気接続箱本体に対し上方から下方へのスライドによって合体され、前記内部カバー部材の上部には電線を前記電線配索規制部内に導く電線ガイド部が設けられていることを特徴とする。
【００１４】
この電気接続箱では、請求項２又は請求項３の発明の作用に加え、一方の電気接続箱本体に他方の電気接続箱本体を合体させる過程にあって、他方の電気接続箱本体より導き出された複数の電線が電線ガイド部によって電線配索規制部内にスムーズに収容される。
【００１５】
請求項５の発明は、請求項２〜請求項４記載の電気接続箱であって、前記内部カバー部材と他方の前記電気接続箱本体とをロックするロック手段を設けたことを特徴とする。
【００１６】
この電気接続箱では、請求項２〜請求項４の発明の作用に加え、他方の電気接続箱本体が一方の電気接続箱本体に固定されると共に内部カバー部材にも固定される。
【発明の効果】
【００１７】
以上説明したように、請求項１の発明によれば、複数の電気接続箱本体が合体される電気接続箱であって、一方の電気接続箱本体の合体面で、且つ、他方の電気接続箱本体の下方に、他方の電気接続箱本体より導き出された複数の電線の配策方向を規制する電線配索規制部を設けたので、一方の電気接続箱本体に他方の電気接続箱本体を合体させる過程にあって、他方の電気接続箱本体より導き出された複数の電線が電線配索規制部に自然に収容され、自然に収容されない場合には複数の電線を電線配索規制部内に収容しつつ合体作業を進めることにより電線の自由な変移を規制できるため、電線が双方の電気接続箱本体の間に容易に噛み込まないようできる。又、合体された電気接続箱本体を外部カバー部材に収容する際に、他方の電気接続箱本体より導き出された複数の電線が電線配索規制部で自由な変移が規制されているため、外部カバー部材との間に噛み込むことがない。以上より、電線が双方の電気接続箱本体の間や外部カバー部材との間に噛み込むことに起因する不具合を防止できる。
【００１８】
請求項２の発明によれば、請求項１記載の電気接続箱であって、電線配索規制部は、一方の電気接続箱本体に装着される内部カバー部材に設けられたので、請求項１の発明の効果に加え、一方の前記電気接続箱本体に内部カバー部材に装着することによって電線配索規制部を付加できるため、電線配索規制部を容易に取付けできる。
【００１９】
請求項３の発明によれば、請求項２記載の電気接続箱であって、内部カバー部材は、一方の電線接続箱本体の合体面に露出された端子部を覆う端子カバー部を有するので、請求項２の発明の効果に加え、一方の電気接続箱本体の端子部を保護できる。
【００２０】
請求項４の発明によれば、請求項２又は請求項３記載の電気接続箱であって、他方の電気接続箱本体は、一方の電気接続箱本体に対し上方から下方へのスライドによって合体され、内部カバー部材の上部には電線を電線配索規制部内に導く電線ガイド部が設けられているので、請求項２又は請求項３の発明の効果に加え、一方の電気接続箱本体に他方の電気接続箱本体を合体させる過程にあって、他方の電気接続箱本体より導き出された複数の電線が電線ガイド部によって電線配索規制部内にスムーズに収容される。従って、合体作業性が向上する。
【００２１】
請求項５の発明によれば、請求項２〜請求項４記載の電気接続箱であって、内部カバー部材と他方の電気接続箱本体とをロックするロック手段を設けたので、請求項２〜請求項４の発明の効果に加え、他方の電気接続箱本体が一方の電気接続箱本体に固定されると共に内部カバー部材にも固定されるため、他方の電気接続箱本体等を強固に固定できる。
【発明を実施するための最良の形態】
【００２２】
以下、本発明の一実施形態を図面に基づいて説明する。
【００２３】
図１〜図５は本発明の一実施形態を示し、図１は第１電気接続箱本体２に内部カバー部材５と第３電気接続箱本体４を組み付ける状態を示す分解斜視図、図２は第１電気接続箱本体２及び第３電気接続箱本体４に第２電気接続箱本体３を組み付けする前の状態を示す斜視図、図３は第１電気接続箱本体２及び第３電気接続箱本体４に第２電気接続箱本体３を組み付ける途中状態を示す斜視図、図４は第１及び第３電気接続箱本体４に第２電気接続箱本体３を組み付け完了した状態を示す斜視図、図５は合体した第１電気接続箱本体２と第２電気接続箱本体３と第３電気接続箱本体４を外部カバー部材６に収容する前の状態を示す斜視図である。
【００２４】
図１〜図５に示すように、電気接続箱１（図５に示す）は、一方の電気接続箱本体である第１電気接続箱本体２と、他方の電気接続箱本体である第２電気接続箱本体３と、第３電気接続箱本体４と、内部カバー部材５とこれらを収容する外部カバー部材６とから主に構成されている。
【００２５】
第１電気接続箱本体２は、所定の分岐回路及び複数のヒュージブルリンク部を形成するブスバー（特に、符号を付さず）と、このブスバー等を内部に配置したハウジング７とを有する。ブスバーには複数の端子部８が形成されており、この複数の端子部８の一部は、ハウジング７の合体面７ａに露出して配置されており、この各端子部８にはボルト等により各電線Ｗ１の一端側が固定されている。又、ブスバーには連結端子部９が形成され、この連結端子部９には第３電気接続箱本体４の連結端子部２１にボルト等によって固定される。
【００２６】
ハウジング７の合体面７ａには、その上部側に第２本体用被ロック部１０が設けられていると共にその下部側に内部カバー用スライド係止部１１が上下方向に形成されている。又、ハウジング７の合体面７ａの反対面には外部カバー用ロック部（図示せず）が設けられている。更に、ハウジング７の合体面７ａに直交する側面には第３本体用スライド突起１３が設けられている。
【００２７】
第２電気接続箱本体３は、複数のリレー部品（図示せず）及びヒューズ部品（図示せず）が搭載されるハウジング１５を有し、このハウジング１５の下面より複数の電線Ｗ２が導き出されている。ハウジング１５の合体面（図示せず）には第１本体用ロック部１９が設けられている。つまり、第１電気接続箱本体２と第２電気接続箱本体３とは、互いの合体面７ａ、（図示せず）を突き合わせ、且つ、第２本体用被ロック部１０に第１本体用ロック部１９をロックさせることにより合体できるよう構成されている。又、第２電気接続箱本体３の合体面（図示せず）の反対面には内部カバー用ロック突起１７が２箇所に設けられている。更に、第２電気接続箱本体３の合体面１５ａに直交する側面には第３本体用スライド突起１８が設けられている。
【００２８】
第３電気接続箱本体４は、複数のヒューズ部品（図示せず）が搭載されるハウジング２０を有し、このハウジング２０内にはブスバー（特に、符号を付さず）が配置されている。このブスバーの一部によって連結端子部２１が形成されており、この連結端子部２１が上述したように第１電気接続箱本体２の連結端子部９に連結される。ハウジング２０の合体面（図示せず）には第１本体用スライド溝部（図示せず）及び第２本体用スライド溝（図示せず）とがそれぞれ設けられている。ハウジング２０の両外面には外部カバー用ロック部２２がそれぞれ設けられている。
【００２９】
内部カバー部材５は、第１電気接続箱本体２の左右に分かれて配置された端子部８の全域を被う大きさに形成された端子カバー部２５と、この端子カバー部２５の外面より突出された電線配索規制部２６とを有している。端子カバー部２５の内面側で、且つ、３箇所には第１本体用スライドレール部２５ａ、（図示せず）が上下方向に沿って設けられている。各第１本体用ガイドレール部２５ａ、（図示せず）を第１電気接続箱本体２の内部カバー用スライド係止部１１に係止しつつスライドすることによって内部カバー部材５を第１電気接続箱本体２に装着できる。第１電気接続箱本体２に内部カバー部材５に装着されると、端子カバー部２５が第１電気接続箱本体２の端子部８の外周を被う位置に位置すると共に電線配索規制部２６が第２電気接続箱本体３の下方位置に配置される。
【００３０】
電線配索規制部２６は端子カバー部２５の下側より外側に向かってせり出すように配置され、その両端開口の一方が電線Ｗ２の導出開口部２６ａとされる。電線配索規制部２６の上端の２箇所には第２本体用ロック孔２７が設けられている。この第２本体用ロック孔２７と第１電気接続箱本体２の内部カバー用ロック突起１７とによってロック手段２８が構成されている。又、電線配索規制部２６に対向配置される端子カバー部２５の上部には、電線ガイド部２９が設けられている。この電線ガイド部２９は、上端側が第１電気接続箱本体２の合体面７ａ側に接触するよう傾斜され、第２電気接続箱本体３を第１電気接続箱本体２に合体させる際に電線Ｗ２を電線配索規制部２６内にガイドする。
【００３１】
外部カバー部材６は、上面の全域が開口されており、この上面より第１電気接続箱本体２等を収容するようになっている。外部カバー部材６の内面の適所には本体用被ロック部３０、（図示せず）が設けられている。又、外部カバー部材６の一方の側面には第３本体用スライド係止溝３１が形成され、他方の側面には電線導出孔３２が形成されている。
【００３２】
次に、電気接続箱１の組立て手順を説明する。図１に示すように、第１電気接続箱本体２の合体面７ａの内部カバー用スライド係止部１１に内部カバー部材５の第１本体用ガイドレール部（図示せず）を嵌合するよう位置合わせし、第１電気接続箱本体２に対して内部カバー部材５を上方から下方にスライドさせる。これにより、内部カバー部材５が第１電気接続箱本体２に装着される。又、第１電気接続箱本体２の第３本体用スライド突起１８に第３電気接続箱本体４の第１本体用スライド溝部（図示せず）を位置合わせし、第１電気接続箱本体２に対して第３電気接続箱本体４を上方から下方にスライドさせる。これにより、第３電気接続箱本体４が第１電気接続箱本体２に嵌合される。又、双方の連結端子部９、２１が密着状態で位置合わせされ、双方の連結端子部９、２１を連結ボルト（図示せず）によって締結する。これにより、第３電気接続箱本体４が第１電気接続箱本体２に合体される。
【００３３】
次に、図２に示すように、第１電気接続箱本体２の合体面７ａの第２本体用被ロック部１０に第２電気接続箱本体３の第１本体用ロック部１９を位置合わせし、且つ、第３電気接続箱本体４の第２本体用スライド溝（図示せず）に第２電気接続箱本体３の第３本体用スライド突起１８を位置合わせし、第１電気接続箱本体２及び第３電気接続箱本体４に対して第２電気接続箱本体３を上方から下方にスライドする。第２電気接続箱本体３が下方に変移されると、図３に示すように、下面より導出された複数の電線Ｗ２が内部カバー部材５の電線配索規制部２６に徐々に近接される。ここで、第２電気接続箱本体３の複数の電線Ｗ２が電線配索規制部２６内に自然に収容される。但し、自然に収容されない場合には電線Ｗ２を電線配索規制部２６内に収容しつつ合体作業を進める。
【００３４】
第２電気接続箱本体３を最後までスライドすると、図４に示すように、第２本体用被ロック部１０と第１本体用ロック部１９がロックされ、第２電気接続箱本体３が第１電気接続箱本体２に合体される。又、第３本体用スライド突起１８が第２本体用スライド溝（図示せず）が完全に進入され、第２電気接続箱本体３と第３電気接続箱本体４が係合される。更に、第２電気接続箱本体３の内部カバー用ロック突起１７に内部カバー部材５の第２本体用ロック孔２７が弾性復帰変形により係合され、第２電気接続箱本体３と内部カバー部材５が固定される。このように第１電気接続箱本体２と第２電気接続箱本体３と第３電気接続箱本体４が合体されると共に、第２電気接続箱本体３の複数の電線Ｗ２は内部カバー部材５の電線配索規制部２６内に完全に収容され、電線配索規制部２６の導出開口部２６ａより導き出される。
【００３５】
次に、図５に示すように、合体された第１電気接続箱本体２と第２電気接続箱本体３と第３電気接続箱本体４の各外部カバー用ロック部（図示せず）、２２を外部カバー部材６の各本体用被ロック部３０、（図示せず）に位置合わせし、合体された第１電気接続箱本体２と第２電気接続箱本体３と第３電気接続箱本体４を外部カバー部材６の上方から内部に挿入する。合体された第１電気接続箱本体２と第２電気接続箱本体３と第３電気接続箱本体４を完全に外部カバー部材６内に挿入すると、各外部カバー用ロック部（図示せず）、２２が各本体用被ロック部３０、（図示せず）にそれぞれロックされ、合体された第１電気接続箱本体２と第２電気接続箱本体３と第３電気接続箱本体４が外部カバー部材６内に固定される。
【００３６】
以上、この電気接続箱１では、第１電気接続箱本体２に第２電気接続箱本体３を合体させる過程にあって、第２電気接続箱本体３より導き出された複数の電線Ｗ２が電線配索規制部２６に自然に収容され、自然に収容されない場合には複数の電線Ｗ２を電線配索規制部２６内に収容しつつ合体作業を進めることにより電線Ｗ２の自由な変移を規制できるため、電線Ｗ２が第１電気接続箱本体２と第２電気接続箱本体３の間に噛み込まないようにできる。又、合体された第１電気接続箱本体２と第２電気接続箱本体３と第３電気接続箱本体４を外部カバー部材６に収容する際に、第２電気接続箱本体３より導き出された複数の電線Ｗ２が電線配索規制部２６で自由な変移が規制されているため、外部カバー部材６との間に噛み込むことがない。以上より、電線Ｗ２が第１電気接続箱本体２及び第２電気接続箱本体３の間や外部カバー部材６との間に噛み込むことに起因する不具合を防止できる。つまり、第１電気接続箱本体２及び第２電気接続箱本体３とが適正にロックされなかったり、噛み込んだ電線Ｗ２が傷ついて接続不良になるという不具合を防止できる。
【００３７】
上記実施形態では、電線配索規制部２６は、第１電気接続箱本体２に装着される内部カバー部材５に設けられたので、第１電気接続箱本体２に内部カバー部材５を装着することによって電線配索規制部２６を付加できるため、電線配索規制部２６を容易に取付けできる。
【００３８】
上記実施形態では、内部カバー部材５は、第１電気接続箱本体２の合体面７ａに露出された端子部８を覆う端子カバー部２５を有するので、第１電気接続箱本体２の端子部８を保護できる。
【００３９】
上記実施形態では、第２電気接続箱本体３は、第１電気接続箱本体２に対し上方から下方へのスライドによって合体され、内部カバー部材５の上部には電線Ｗ２を電線配索規制部２６内に導く電線ガイド部２９が設けられているので、第１電気接続箱本体２に第２電気接続箱本体３を合体させる過程にあって、第２電気接続箱本体３より導き出された複数の電線Ｗ２が電線ガイド部２９によって電線配索規制部２６内にスムーズに収容される。従って、合体作業性が向上する。
【００４０】
上記実施形態では、内部カバー部材５と第２電気接続箱本体３とをロックするロック手段２８を設けたので、第２電気接続箱本体３が第１電気接続箱本体２に固定されると共に内部カバー部材５にも固定されるため、第２電気接続箱本体３等を強固に固定できる。
【００４１】
尚、上記実施形態では、第１電気接続箱本体２と第２電気接続箱本体３の他に第３電気接続箱本体４を合体させるよう構成されているが、本発明は、第１電気接続箱本体２と第２電気接続箱本体３のみ合体させるものであっても適用でき、又、第１電気接続箱本体２と第２電気接続箱本体３と第３電気接続箱本体４に対して更に１以上の電気接続箱本体を合体させるものであっても適用できることはもちろんである。
【図面の簡単な説明】
【００４２】
【図１】本発明の一実施形態を示し、第１電気接続箱本体に内部カバー部材と第３電気接続箱本体を組み付ける状態を示す分解斜視図である。
【図２】本発明の一実施形態を示し、第１電気接続箱本体に第２電気接続箱本体を組み付けする前の状態を示す斜視図である。
【図３】本発明の一実施形態を示し、第１及び第３電気接続箱本体に第２電気接続箱本体を組み付け途中の状態を示す斜視図である。
【図４】本発明の一実施形態を示し、第１及び第３電気接続箱本体に第２電気接続箱本体を組み付け完了した状態を示す斜視図である。
【図５】本発明の一実施形態を示し、合体した第１〜第３電気接続箱本体を外部カバー部材に収容する前の状態を示す斜視図である。
【図６】従来例を示し、電気接続箱の一部斜視図である。
【符号の説明】
【００４３】
１  電気接続箱
２  第１電気接続箱本体（一方の電線接続箱本体）
３  第２電気接続箱本体（他方の電気接続箱本体）
５  内部カバー部材
６  外部カバー部材
７ａ  合体面
８  端子部
２５  端子カバー部
２６  電線配索規制部
２８  ロック手段
２９  電線ガイド部
Ｗ２  電線
【図１】
2005185018.tif 000003
【図２】
2005185018.tif 000004
【図３】
2005185018.tif 000005
【図４】
2005185018.tif 000006
【図５】
2005185018.tif 000007
【図６】
2005185018.tif 000008